(57)【要約】【目的】極めて簡単な構成でありながら、書換可能な状態で確実にフルカラー画像を表示することのできるリライタブル薄型画像表示シートを提供することである。【構成】この発明に係わるリライタブル薄型画像表示シートは、基層１２と、この基層１２と所定間隔を離間して配設された透明層１４と、基層１２と透明層１４の間に充填され、カラー磁性粉１６が分散された媒体１８であって、カラー磁性粉１６の移動が許容される第１の相及びカラー磁性粉１６の移動が禁止される第２の相との間で相変化可能な媒体１８とを具備し、カラー磁性粉１６は、略球状に形成されると共に着磁されており、一方の磁極Ｎに対応する一方の半球部分１６Ｎが黒色を呈するように着色され、他方の磁極Ｓに対応する他方の半球部分１６Ｓが黒色以外の色（シアン色、マゼンタ色、イエロー色）を呈するように着色されていることを特徴としている。【選択図】  図５
2005070714.tif 000002
【特許請求の範囲】
【請求項１】
基層と、
この基層と所定間隔を離間して配設された透明層と、
前記基層と透明層の間に充填され、カラー磁性粉が分散された媒体であって、前記カラー磁性粉の移動が許容される第１の相及び前記磁性粉の移動が禁止される第２の相との間で相変化可能な媒体とを具備し、
前記カラー磁性粉は、略球状に形成されると共に着磁されており、一方の磁極に対応する一方の半球部分が黒色を呈するように着色され、他方の磁極に対応する他方の半球部分が黒色以外の色を呈するように着色されていることを特徴とするリライタブル薄型画像表示シート。
【請求項２】
前記媒体は、高温において前記第１の相を呈し、低温において前記第２の相を呈する低温溶融体であることを特徴とする請求項１に記載のリライタブル薄型画像表示シート。
【請求項３】
前記第１の相は液相であり、前記第２の相は固相であることを特徴とする請求項２に記載のリライタブル薄型画像表示シート。
【請求項４】
前記低温溶融体は、好適には４０〜１２０℃の温度範囲で溶融して、前記第１の相を呈し、少なくとも室温で前記第２の相を呈する低融点ワックスを含むことを特徴とする請求項３に記載のリライタブル薄型画像表示シート。
【請求項５】
前記基層は、所定の電気抵抗値を有する抵抗層と、この抵抗層の両面を夫々覆うように配設された一対の電極層とを備え、
各電極層は、互いの交点が選択的に通電されるマトリックス状の通電パターンを備え、
前記両通電パターンの選択された交点間で規定される前記抵抗層の部分に通電して、該抵抗層の通電部分を選択的に発熱させ、前記低温溶融体を選択的に溶融させることを特徴とする請求項１に記載の画像表示装置。
【請求項６】
前記抵抗層は、カーボンが分散されて所定抵抗値に調整され、通電により発熱するように形成された合成樹脂製シートを備えていることを特徴とする請求５に記載のリライタブル薄型画像表示シート。
【請求項７】
前記電極層は、金属製電極を備えていることを特徴とする請求項６に記載のリライタブル薄型画像表示シート。
【請求項８】
前記基層と透明層との間は、スペーサにより、その間隙を確保されていることを特徴とする請求項１に記載のリライタブル薄型画像表示シート。
【請求項９】
前記スペーサは、ビーズ状に形成されていることを特徴とする請求項８に記載のリライタブル薄型画像表示シート。
【請求項１０】
前記スペーサの粒径は、前記カラー磁性粉の粒径の好適には２倍以上となるように設定されていることを特徴とする請求項９に記載のリライタブル薄型画像表示シート。
【請求項１１】
前記基層と透明層との間は、スペーサにより、その間隙を確保されていることを特徴とする請求項５に記載のリライタブル薄型画像表示シート。
【請求項１２】
前記スペーサは、前記抵抗層上の前記媒体側の通電パターンの各々を両側から挟むように配設されていることを特徴とする請求項１１に記載のリライタブル薄型画像表示シート。
【請求項１３】
前記透明層は、透明樹脂製のフィルムを備えていることを特徴とする請求項１に記載のリライタブル薄型画像表示シート。
【請求項１４】
前記透明樹脂製のフィルムは、可撓性を有して形成されていることを特徴とする請求項１３に記載のリライタブル薄型画像表示シート。
【請求項１５】
前記基層と透明層とは、共に可撓性を有して紙状に形成されていることを特徴とする請求項１に記載のリライタブル薄型画像表示シート。
【請求項１６】
前記基層と透明層とは、共に、所定の剛性を有してカード状に形成されていることを特徴とする請求項１に記載のリライタブル薄型画像表示装置。
【請求項１７】
前記カラー磁性粉は、着磁された中心核磁性体と、この中心核磁性体を被覆する着色樹脂製コーティング層とを備え、
前記着色樹脂コーティング層の前記一方の半球部分に対応する部分は、黒色顔料が添加され、
前記着色樹脂コーティング層の前記他方の半球部分に対応する部分は、黒色以外の色を呈する顔料が添加されていることを特徴とする請求項１に記載のリライタブル薄型画像表示シート。
【請求項１８】
前記中心核磁性体と着色樹脂製コーティング層との間には、白色樹脂製コーティング層が介設されていることを特徴とする請求項１７に記載のリライタブル薄型画像表示シート。
【請求項１９】
前記着色樹脂コーティング層の前記他方の半球部分に対応する部分は、シアン色を呈する顔料が添加されていることを特徴とする請求項１７に記載のリライタブル薄型画像表示シート。
【請求項２０】
前記着色樹脂コーティング層の前記他方の半球部分に対応する部分には、マゼンタ色を呈する顔料が添加されていることを特徴とする請求項１７に記載のリライタブル薄型画像表示シート。
【請求項２１】
前記着色樹脂コーティング層の前記他方の半球部分に対応する部分には、イエロー色を呈する顔料が添加されていることを特徴とする請求項１７に記載のリライタブル薄型画像表示シート。
【請求項２２】
前記中心核磁性体は、球状焼結フェライトから構成されていることを特徴とする請求項１７に記載のリライタブル薄型画像表示シート。
【請求項２３】
前記中心核磁性体は、バインダーで固化した微粉末フェライトから構成されていることを特徴とする請求項１７に記載のリライタブル薄型画像表示シート。
【請求項２４】
前記中心核磁性体は、粒状焼結フェライトを球状にまとめたものから構成されていることを特徴とする請求項１７に記載のリライタブル薄型画像表示シート。
【請求項２５】
前記中心核磁性体は、結晶フェライトを球状にまとめたものから構成されていることを特徴とする請求項１７に記載のリライタブル薄型画像表示シート。
【請求項２６】
前記樹脂製コーティング層は、ソリッド状に形成されていることを特徴とする請求項１７に記載のリライタブル薄型画像表示シート。
【請求項２７】
前記樹脂製コーティング層は、発泡された状態で形成されていることを特徴とする請求項１７に記載のリライタブル薄型画像表示シート。
【請求項２８】
前記透明層の前記媒体側の表面には、透明電極の薄層が配設されており、前記媒体に摩擦により発生した帯電価を、該媒体が前記透明電極に接触することにより除電することを特徴とする請求項１に記載のリライタブル薄型画像表示シート。前記透明層の前記媒体側の表面には、透明電極の薄層が配設されていることを特徴としている。
【請求項２９】
前記透明電極は接地されていて、前記媒体との摩擦により前記カラー磁性粉に発生した帯電価を、該カラー磁性粉が前記透明電極に接触することにより除電することを特徴とする請求項２８に記載のリライタブル薄型画像表示シート。
【請求項３０】
前記透明電極には、前記媒体との摩擦により前記カラー磁性粉に発生した帯電価の極性とは逆特性のバイアス電圧が印加されていて、前記カラー磁性粉を、該透明電極に引き付けることを特徴とする請求項２８に記載のリライタブル薄型画像表示シート。
【発明の詳細な説明】
【技術分野】
【０００１】  この発明は、書換可能（リライタブル）な状態で、カラー画像を表示させるためのリライタブル薄型画像表示シートに関する。
【背景技術】
【０００２】  従来より、磁性粉の移動を利用した画像表示装置は知られており、ハニカム構造のセル中に白色の液体に黒色の磁性粉を混合したものを入れ、磁気ペン又は磁気ヘッドで文字又は図形等の画像を、一方向に吸引した磁性粉で表示するシステムであり、ホワイトボードの替わりとして既に導入されているものである。また、ペーパーライクディスプレイ（電子ペーパーとも呼ばれている。）としては、マイクロカプセル化したセルをＰＥＴフィルム上にバインダーを介して塗布した構成を採用し、磁気ペン等でマイクロカプセル内の磁性粉を移動させて、文字等の画像を表示させるようにしている。【０００３】  何れも、従来装置は廉価で構造が簡単であるため、メンテナンス性も良く、また、玩具としても用いられている。【０００４】  しかしながら、上述した従来の薄型表示シートにおいては、以下の問題点が指摘されているとして、本願出願と同一出願人及び同一発明者により、特願２００３−０６０６３５号（平成１５年１月３１日出願）として、特許出願されている。即ち、従来装置においては
（１）磁気ヘッド、磁気ペンの磁気ダイポールの一方を用いるため、磁力を狭い範囲にフォーカスさせることが困難で、この結果、解像度が低いものにしかならない。
（２）狭い範囲で短時間に強磁界を集中させる事が困難なため、ハニカムセル、マイクロカプセルの壁面に磁性粉を密着させることが難しく、コントラストレシオが得られない。
（３）白色液体に懸濁した磁性粉を用いているため、徐々に磁性粉が移動し、表示画像・文字の保存性が悪い。
（４）ダイポールである磁界を利用しているため、クロストークが大きく、文字等のエッジ部の表現が極度に悪くなる。
（５）ハニカムセル、マイクロカプセルの結合部が必ず生ずるため、シャドウ部の濃度を確保することが難しく、濃度を上がらせることができない。
（６）ハニカムセル、マイクロカプセルの大きさに制限があり、これ以上に解像度を上げられない。
（７）ハニカムセル、マイクロカプセルの大きさに制限があり、シートの厚みを余り薄く出来ない。
（８）ハニカムセル、マイクロカプセルの製造工程が単純コーティング作業に比較して、複雑でコスト高になり易い。【０００５】  このような課題を解決するために、本願出願と同一発明者による特願２００３−０６０６３５号においては、その解決手段として、「基層と、この基層と所定間隔を離間して配設された透明層と、前記基層と透明層の間に充填され、磁性粉が分散された媒体であって、前記磁性粉の移動が許容される第１の相及び前記磁性粉の移動が禁止される第２の相との間で相変化可能な媒体とを具備することを特徴とするリライタブル薄型画像表示シート」が提案されている。
【発明の開示】
【発明が解決しようとする課題】
【０００６】  上述した本願発明者自身の先願に係わるリライタブル薄型画像表示シートにおいては、確かに、上述した課題が解決されるものの、提示された技術によれば、表示される画像の色は、モノカラーであり、仮に表示シートをゾーン分けして、ゾーン毎にトナーの色を変えたとして、そのゾーンの色が特定された状態で表示されるだけであって、任意のフルカラー画像を達成することのできるものではなかった。【０００７】  このため、薄型の画像表示シートにおいて、フルカラー画像の表示可能な技術開発が要望されている。【０００８】  この発明は、上述した事情に鑑みなされたもので、この発明の主たる目的は、極めて簡単な構成でありながら、書換可能な状態で確実にフルカラー画像を表示することのできるリライタブル薄型画像表示シートを提供することである。【０００９】  また、この発明の他の目的は、極めて簡単な構成でありながら、解像度を向上した状態でフルカラー画像を確実に表示することのできるリライタブル薄型画像表示シートを提供することである。【００１０】  また、この発明の別の目的は、極めて簡単な構成でありながら、厚さを極めて薄くしつつ、フルカラー画像を確実に表示することのできるリライタブル薄型画像表示シートを提供することである。【００１１】  また、この発明の更なる目的は、極めて簡単な構成でありながら、諧調性を表現した状態でフルカラー画像を確実に表示することのできるリライタブル薄型画像表示シートを提供することである。
【課題を解決するための手段】
【００１２】  上述した課題を解決し、目的を達成するため、この発明に係わるリライタブル薄型画像表示シートは、請求項１の記載によれば、基層と、この基層と所定間隔を離間して配設された透明層と、前記基層と透明層の間に充填され、カラー磁性粉が分散された媒体であって、前記カラー磁性粉の移動が許容される第１の相及び前記磁性粉の移動が禁止される第２の相との間で相変化可能な媒体とを具備し、前記カラー磁性粉は、略球状に形成されると共に着磁されており、一方の磁極に対応する一方の半球部分が黒色を呈するように着色され、他方の磁極に対応する他方の半球部分が黒色以外の色を呈するように着色されていることを特徴としている。【００１３】  また、この発明に係わるリライタブル薄型画像表示シートは、請求項２の記載によれば、前記媒体は、高温において前記第１の相を呈し、低温において前記第２の相を呈する低温溶融体であることを特徴としている。【００１４】  また、この発明に係わるリライタブル薄型画像表示シートは、請求項３の記載によれば、前記第１の相は液相であり、前記第２の相は固相であることを特徴としている。【００１５】  また、この発明に係わるリライタブル薄型画像表示シートは、請求項４の記載によれば、前記低温溶融体は、４０〜１２０℃の温度範囲で溶融して、前記第１の相を呈し、少なくとも室温で前記第２の相を呈する低融点ワックスを含むことを特徴としている。【００１６】  また、この発明に係わるリライタブル薄型画像表示シートは、請求項５の記載によれば、前記基層は、所定の電気抵抗値を有する抵抗層と、この抵抗層の両面を夫々覆うように配設された一対の電極層とを備え、各電極層は、互いの交点が選択的に通電されるマトリックス状の通電パターンを備え、前記両通電パターンの選択された交点間で規定される前記抵抗層の部分に通電して、該抵抗層の通電部分を選択的に発熱させ、前記低温溶融体を選択的に溶融させることを特徴としている。【００１７】  また、この発明に係わるリライタブル薄型画像表示シートは、請求項６の記載によれば、前記抵抗層は、カーボンが分散されて所定抵抗値に調整され、通電により発熱するように形成された合成樹脂製シートを備えていることを特徴としている。【００１８】  また、この発明に係わるリライタブル薄型画像表示シートは、請求項７の記載によれば、前記電極層は、金属製電極を備えていることを特徴としている。【００１９】  また、この発明に係わるリライタブル薄型画像表示シートは、請求項８の記載によれば、前記基層と透明層との間は、スペーサにより、その間隙を確保されていることを特徴としている。【００２０】  また、この発明に係わるリライタブル薄型画像表示シートは、請求項９の記載によれば、前記スペーサは、ビーズ状に形成されていることを特徴としている。【００２１】  また、この発明に係わるリライタブル薄型画像表示シートは、請求項１０の記載によれば、前記スペーサの粒径は、前記カラー磁性粉の粒径の好適には２倍以上となるように設定されていることを特徴としている。【００２２】  また、この発明に係わるリライタブル薄型画像表示シートは、請求項１１の記載によれば、前記基層と透明層との間は、スペーサにより、��の間隙を確保されていることを特徴としている。【００２３】  また、この発明に係わるリライタブル薄型画像表示シートは、請求項１２の記載によれば、前記スペーサは、前記抵抗層上の前記媒体側の通電パターンの各々を両側から挟むように配設されていることを特徴としている。【００２４】  また、この発明に係わるリライタブル薄型画像表示シートは、請求項１３の記載によれば、前記透明層は、透明樹脂製のフィルムを備えていることを特徴としている。【００２５】  また、この発明に係わるリライタブル薄型画像表示シートは、請求項１４の記載によれば、前記透明樹脂製のフィルムは、可撓性を有して形成されていることを特徴としている。【００２６】    また、この発明に係わるリライタブル薄型画像表示シートは、請求項１５の記載によれば、前記基層と透明層とは、共に可撓性を有して紙状に形成されていることを特徴としている。【００２７】  また、この発明に係わるリライタブル薄型画像表示シートは、請求項１６の記載によれば、前記透明樹脂製のフィルムは、所定の剛性を有してカード状に形成されていることを特徴としている。【００２８】  また、この発明に係わるリライタブル薄型画像表示シートは、請求項１７の記載によれば、前記カラー磁性粉は、着磁された中心核磁性体と、この中心核磁性体を被覆する着色樹脂製コーティング層とを備え、前記着色樹脂コーティング層の前記一方の半球部分に対応する部分は、黒色顔料が添加され、前記着色樹脂コーティング層の前記他方の半球部分に対応する部分は、黒色以外の色を呈する顔料が添加されていることを特徴としている。【００２９】  また、この発明に係わるリライタブル薄型画像表示シートは、請求項１８の記載によれば、前記中心核磁性体と着色樹脂製コーティング層との間には、白色樹脂製コーティング層が介設されていることを特徴としている。【００３０】  また、この発明に係わるリライタブル薄型画像表示シートは、請求項１９の記載によれば、前記着色樹脂コーティング層の前記他方の半球部分に対応する部分は、シアン色を呈する顔料が添加されていることを特徴としている。【００３１】  また、この発明に係わるリライタブル薄型画像表示シートは、請求項２０の記載によれば、前記着色樹脂コーティング層の前記他方の半球部分に対応する部分には、マゼンタ色を呈する顔料が添加されていることを特徴としている。【００３２】  また、この発明に係わるリライタブル薄型画像表示シートは、請求項２１の記載によれば、前記着色樹脂コーティング層の前記他方の半球部分に対応する部分には、イエロー色を呈する顔料が添加されていることを特徴としている。【００３３】  また、この発明に係わるリライタブル薄型画像表示シートは、請求項２２の記載によれば、前記中心核磁性体は、球状焼結フェライトから構成されていることを特徴としている。【００３４】  また、この発明に係わるリライタブル薄型画像表示シートは、請求項２３の記載によれば、前記中心核磁性体は、バインダーで固化した微粉末フェライトから構成されていることを特徴としている。【００３５】  また、この発明に係わるリライタブル薄型画像表示シートは、請求項２４の記載によれば、前記中心核磁性体は、粒状焼結���ェライトを球状にまとめたものから構成されていることを特徴としている。【００３６】  また、この発明に係わるリライタブル薄型画像表示シートは、請求項２５の記載によれば、前記中心核磁性体は、結晶フェライトを球状にまとめたものから構成されていることを特徴としている。【００３７】  また、この発明に係わるリライタブル薄型画像表示シートは、請求項２６の記載によれば、前記樹脂製コーティング層は、ソリッド状に形成されていることを特徴としている。【００３８】  また、この発明に係わるリライタブル薄型画像表示シートは、請求項２７の記載によれば、前記樹脂製コーティング層は、発泡された状態で形成されていることを特徴としている。【００３９】  また、この発明に係わるリライタブル薄型画像表示シートは、請求項２８の記載によれば、前記透明層の前記媒体側の表面には、透明電極の薄層が配設されていることを特徴としている。【００４０】  また、この発明に係わるリライタブル薄型画像表示シートは、請求項２９の記載によれば、前記透明電極は接地されていて、前記媒体との摩擦により前記カラー磁性粉に発生した帯電価を、該カラー磁性粉が前記透明電極に接触することにより除電することを特徴としている。【００４１】  また、この発明に係わるリライタブル薄型画像表示シートは、請求項３０の記載によれば、前記透明電極には、前記媒体との摩擦により前記カラー磁性粉に発生した帯電価の極性とは逆特性のバイアス電圧が印加されていて、前記カラー磁性粉を、該透明電極に引き付けることを特徴としている。
【発明の効果】
【００４２】  この発明によれば、極めて簡単な構成でありながら、書換可能な状態で確実にフルカラー画像を表示することのできるリライタブル薄型画像表示シートが提供されることになる。【００４３】  また、この発明によれば、極めて簡単な構成でありながら、解像度を向上した状態でフルカラー画像を確実に表示することのできるリライタブル薄型画像表示シートが提供されることになる。【００４４】  また、この発明によれば、極めて簡単な構成でありながら、厚さを極めて薄くしつつ、フルカラー画像を確実に表示することのできるリライタブル薄型画像表示シートが提供されることになる。【００４５】  また、この発明によれば、極めて簡単な構成でありながら、諧調性を表現した状態でフルカラー画像を確実に表示することのできるリライタブル薄型画像表示シートが提供されることになる。
【発明を実施するめの最良の形態】
【００４６】  以下に、この発明に係わるリライタブル薄型画像表示シートの一実施例の構成を、これに画像を表示させる表示装置及び表示システムと共に、添付図面を参照して詳細に説明する。
【実施例１】
【００４７】  先ず、リライタブル薄型画像表示シートの一実施例の構成につき説明する。
このリライタブル薄型画像表示シート（以下、単に表示シートと呼ぶ。）１０は、図１に模式的に示すように、基本構造として、基層１２と、薄型を達成すべくこの基層１２と所定間隔を離間して配設された透明層１４とを備えて構成されている。【０００４８】  また、基層１２と透明層１４の間には、エマルジョン重合技術を用いて形成されると共にカラー処理された磁性粉（以下、単にカラー磁性粉と呼ぶ。）１６が均一に分散され、カラー磁性粉１６の移動が許容される第１の相及びカラー磁性粉１６の移動が禁止される第２の相との間で相変化可能な媒体としての低温溶融体、具体的には、低融点ワックス１８が充填されている。【００４９】  ここで、基層１２は、所定の電気抵抗値を有する抵抗層１２Ａと、この抵抗層１２Ａの両面を夫々覆う様に配設された一対の電極層１２Ｂ，１２Ｃとを備えて構成されている。各電極層１２Ｂ、１２Ｃは、マトリックス電極層として、互いの交点が選択的に通電されるマトリックス状の通電パターンを備え、図２を参照して後述するが、別途規定する制御信号（走査信号）により、画素に対応する部分を両通電パターンの選択された各交点で規定し、この選択された両交点間に挟持された抵抗層１２Ａの部分に通電して、この抵抗層１２Ａの通電部分を選択的に発熱させるように構成されている。【００５０】  尚、この抵抗層１２Ａとしては、具体的には、カーボン添加キャスト成形ポリイミド製フィルムに、カーボンを約２０〜３０％程度含有させて、電気抵抗率として最適には１０〜３００Ω・ｃｍ（最大範囲としては約１ｋΩ・ｃｍ）に調整されたものが採用されている。しかしながら、抵抗層１２Ａの材質としては、上述したポリイミド製フィルムに限定されること無く、酢酸セルロースやポリカーボネート製であっても良い。また、導電性を担保するためにカーボンを含有させるように説明したが、このカーボンとしてはナノ粒子が好適し、例えば、カーボンナノチューブやカーボンフラーレン等を含有させるものでも良いことは言うまでもない。このようにカーボンナノチューブを含有させる場合には、約２〜５％の含有率でも、上述した電気抵抗率を達成させることが可能となる。【００５１】  一方、基層１２と透明層１４との間は、スペーサ２０により、その間隙を確保されており、互いに平行に設定されている。また、このスペーサ２０は、この一実施例においては、球形のビーズ状に形成されており、詳細には、粒子径が中心値として１０μｍ前後（粒度分布として５μｍ〜１５μｍ）の球状ガラスビーズから形成されている。【００５２】  ここで、このガラスビーズ製のスペーサ２０の粒径は、カラー磁性粉１６の粒径の少なくとも２倍以上となるように設定されている。具体的には、このスペーサ２０の材料としては、低融点ワックス１８との比重差の少ないものが好ましく、上述したガラス製の他に、合成樹脂製、例えば、ジビニル・ベンゼン製の比重１．１９のものも採用しえるものである。また、このスペーサ２０の混入率は、５〜１０％程度に設定されている。【００５３】  また、この一実施例において、低融点ワックス１８は、好適には４０〜１２０℃（最大範囲として、約４００℃）の温度範囲で溶融する石油系パラフィンから形成され��いて、白色顔料から白色に着色されている。この白色顔料としては、高白色度を有する高屈折率のものが好適しており、具体的には、遮蔽性の高い材料、例えば、ＴｉＯ、ＳｉＯ２、Ａｌ２Ｏ３、ＡｒＯ２、ＣａＣＯ３等の粒子径０．３μｍ程度の白色粉末から構成されており、重量比で３０〜５０％程度混入されている。【００５４】  一方、上述した各カラー磁性粉１６は、予め着磁されており、Ｎ極及びこのＮ極に対向する頂部においてＳ極を呈するように予め設定されている。そして、この一実施例においては、Ｎ極を頂部に頂く半球部分を、一方の半球部分１６Ｎと規定し、Ｓ極を頂部に頂く半球部分を、他方の半球部分１６Ｓと規定している。【００５５】  各カラー磁性粉１６の構造は、詳細には、図３に示すように、着磁された中心核磁性体１６ａと、この中心核磁性体１６ａを被覆する着色樹脂製コーティング層１６ｂとを備えて構成されている。尚、中心核磁性体１６ａとしては、この一実施例においては、バインダーにより固化された微粉末フェライトから構成されているが、これに限定されることなく、例えば、球状焼結フェライトを用いることができるものである。更に、図４に示すように、粒状焼結フェライトや結晶フェライト等を、モノマーエマルジョン技術又は滴下技術又は霧化技術を用いて球状に固化させたものを用いることも可能であることは言うまでもない。【００５６】  ここで、着色樹脂コーティング層１６ｂのＮ極を呈する一方の半球部分１６Ｎに対応する部分は、黒色顔料が添加されて黒色を呈すると共に、着色樹脂コーティング層１６ｂのＳ極を呈する他方の半球部分１６Ｓに対応する部分は、黒色以外の色を呈する顔料が添加されて黒色以外のカラー色を呈している。【００５７】  具体的には、シアン色を呈させるカラー磁性粉１６Ｃとしては、着色樹脂コーティング層１６ｂの他方の半球部分１６Ｓに、シアン色を呈する顔料が添加されている。また、マゼンタ色を呈させるカラー磁性粉１６Ｍとしては、着色樹脂コーティング層１６ｂの他方の半球部分１６Ｓに、マゼンタ色を呈する顔料が添加されている。また、イエロー色を呈させるカラー磁性粉１６Ｙとしては、着色樹脂コーティング層１６ｂの他方の半球部分１６Ｓに、イエロー色を呈する顔料が添加されている。【００５８】  また、各カラー磁性粉１６において、中心核磁性体１６ａと着色樹脂製コーティング層１６ｂとの間には、白色樹脂製コーティング層１６ｃが介設されている。この白色樹脂コーティング層１６ｃは、中心核磁性体１６ａの呈する自然色である黒色を遮蔽するために設けられるものであり、このように白色樹脂コーティング層１６ｃを設けることにより、着色樹脂コーティング層１６ｂの他方の半球部分１６Ｓにおいて呈せられるマゼンタ色、シアン色、イエロー色は、夫々、鮮やかに発色することになる。【００５９】  また、透明層１４は、この一実施例においては、耐熱透明合成樹脂としての塩化ビニデン製のパネルから構成されている。この透明層としては、更に具体的には、１３０℃程度の耐熱性を有する透明フィルムから構成され、低融点ワックス１８との屈折率の差の少ないものが好ましく、上述した塩化ビニデンのほかには、例えば、メタアクリル樹脂、ポリクロロトリフルオロエチレン、ポリフッ化ビニリデン、酢酸セルロース、ポリエステル等の合成樹脂が好ましいものである。また、この透明層１４の外表面には、図示していないが、反射防止膜がコーティングされている。【００６０】  一方、透明層１４の内表面（図中、下面）、即ち、媒体としての低融点ワックス１８側の表面には、透明電極２２の薄層が配設されている。この透明電極２２は後述する表示装置４０に組み込まれた状態で接地されるように構成されていて、互いの摩擦や低融点ワックス１８との摩擦等によりカラー磁性粉１６に発生した帯電価を、カラー磁性粉１６が透明電極２２に接触することにより除電し、これも後述するが透明層１４側に引き付けられたカラー磁性粉１６が、確実に、この透明電極２２を介して透明層１４の内表面に接触することができるようにするために設けられている。【００６１】  一方、図２を参照して上述したように、抵抗層１２Ａの裏面（即ち、図中下側面）に位置する電極層１２Ｃは、図中縦方向に沿って延出する多数の縦通電ライン２４−ｎ（ここで、ｎは、図中左端部から順次振られた整数を示している。即ち、２４−１は、左端の縦通電ラインを示し、２４−１０は、左端から１０番目の縦通電ラインを示している。）から構成された縦通電パターン２４を備えている。一方、抵抗層１２Ａの表面（即ち、図中上側面）に位置する電極層１２Ｂは、図中横方向に沿って延出する多数の横通電ライン２６−ｎ（ここで、ｎは、図中上端部から順次振られた整数を示している。即ち、２６−１は、上端の横通電ラインを示し、２６−８は、上端から８番目の横通電ラインを示している。）から構成された横通電パターン２６を備えている。【００６２】  以下に、表示しようとする画像の単位ドット（画素）に対応する部分を両通電パターン２４，２６の選択された通電ラインの交点から規定し、この選択された交点に位置する抵抗層１２Ａの部分に通電して、この抵抗層１２Ａの通電部分を選択的に発熱させるための具体的な構成を、図２を参照して詳細に説明する。【００６３】  先ず、この一実施例においては、裏面側の全ての縦通電ライン２４−ｎは、表示シート１０側に内蔵されシフトレジスタＩＣ３０シフトレジスタＩＣ３０の出力ポートに夫々接続されるように設定されている。ここで、このシフトレジスタＩＣ３０は、これに入力されてきた制御信号（走査信号）に応じて、発熱させようとする部位に対応した縦通電ライン２４−ｎの出力ポートを選択的にオン（ｏｎ）させるように構成されている。【００６４】  一方、表面側の各横通電ライン２６−ｎは、共通の１本の電源供給ライン３２にフォトトランジスタ３４を介して接続されており、電源供給ライン３２は、表示装置４０に組み込まれた状態で、この表示装置４０に設けられた発熱用の電源３６を介して、上述したシフトレジスタＩＣ３０に接続されるように設定されている。各フォトトランジスタ３４の接続状態としては、各々のアノードが電源供給ライン３２に、また、各々のカソードが対応する横通電ライン２６−ｎに、夫々接続されており、各々のベースへの赤外線の受光に応じてオン（ｏｎ）動作し、オン動作しているときのみ、アノードからカソードに向けて、電源３６からの電圧電流が、��応する横通電ライン２６−ｎに流れるように構成されている。【００６５】  このようにして、シフトレジスタＩＣ３０のオンされたポートに接続された縦通電ライン２４−ｎと、赤外線の受光によりオンされたフォトトランジスタ３４に接続された横通電ライン２６−ｎとの交点に位置する抵抗層１２Ａの部分に、電気が流れることとなり、この交点に位置する抵抗層１２Ａの通電部分が発熱することになる。【００６６】  尚、図示していないが、横通電ライン２６−ｎを選択するために、表示装置４０側には、この表示シート１０が表示装置４０に組み込まれた状態で、各横通電ライン２６−ｎに各々対応するように、アレイ状の多数の発光素子（ＬＥＤ）が配設されており、この一実施例においては、各発光素子は赤外線を出力するように構成されている。一方、フォトトランジスタ３０のベースには、赤外線のみを通過させるフィルター（又は、可視光を吸収又は反射させるフィルター）がコーティングされており、この結果、フォトトランジスタ３０が可視光の意図しない受光により誤動作しないようになされている。尚、発光素子（ＬＥＤ）の配設個数としては１個でも良く、この場合には、この１つの発光素子（ＬＥＤ）はスキャンされることになる。【００６７】  以上のようにして、画像を構成する画素に対応した抵抗層１２Ａの任意の部分が、選択的に発熱される状態が達成されるものである。【００６８】  ここで、図５に示すように、１画素は、３本分の縦通電ライン２４−ｎと１本の横通電ライン２６−ｎと（又は、１本の縦通電ライン２４−ｎと３本分の横通電ライン２６−ｎと）により構成されている。そして、各縦通電ライン２４−ｎ又は各横通電ライン２６−ｎの幅は、少なくとも１個の、好適には３個以上のカラー磁性粉１６が横一列状になって乗ることができるように設定されている。【００６９】  そして、１画素を構成する３本の縦通電ライン２４−ｎの内の図中左端のライン上には、シアン色を表示可能なカラー磁性粉１６Ｃが配設されている。また、１画素を構成する３本の縦通電ライン２４−ｎの内の図中中央のライン上には、マゼンタ色を表示可能なカラー磁性粉１６Ｍが配設されている。また、１画素を構成する３本の縦通電ライン２４−ｎの内の図中右端のライン上には、イエロー色を表示可能なカラー磁性粉１６Ｙが配設されている。【００７０】  ここで、既に上述したように、各カラー磁性粉１６は、既に上述したように、Ｎ極に対応した一方の半球部分１６Ｎで黒色を呈すると共に、Ｓ極に対応した他方の半球部分で固有のカラー色を呈するように構成されている。【００７１】  この結果、１画素を構成する３本の縦通電ライン２４−１，２４−２、２４−３において、図６に示すように、左端の縦通電ライン２４−１のポートのみがオンされる状態で、この部分の抵抗層１２Ａが選択的に発熱し、対応するシアン色のカラー磁性粉１６Ｃのみが移動可能な状態となる。そして、後述する磁気ヘッド４４がＮ極を下端面（即ち、透明層１４に対向する面）に発生する状態で励磁されることにより、カラー磁性粉１６Ｃのシアン色を呈する半球部分１６Ｓが上向きになるように付勢（転回）された状態で、透明層１４に向けて引き付けられることになる。このようにして、１つの画素において、シアン色が呈せられることになる。【００７２】  一方、１画素を構成する３本の縦通電ライン２４−１，２４−２、２４−３において、図７に示すように、中央の縦通電ライン２４−２のポートのみがオンされる状態で、この部分の抵抗層１２Ａが選択的に発熱し、対応するマゼンタ色のカラー磁性粉１６Ｍのみが移動可能な状態となる。そして、磁気ヘッド４４がＮ極を下端面に発生する状態で励磁されることにより、カラー磁性粉１６Ｍのマゼンタ色を呈する半球部分１６Ｓが上向きになるように付勢（転回）された状態で、透明層１４に向けて引き付けられることになる。このようにして、１つの画素において、マゼンタ色が呈せられることになる。【００７３】  また、１画素を構成する３本の縦通電ライン２４−１，２４−２、２４−３において、図８に示すように、右端の縦通電ライン２４−３のポートのみがオンされる状態で、この部分の抵抗層１２Ａが選択的に発熱し、対応するイエロー色のカラー磁性粉１６Ｙのみが移動可能な状態となる。そして、磁気ヘッド４４がＮ極を下端面に発生する状態で励磁されることにより、カラー磁性粉１６Ｙのイエロー色を呈する半球部分１６Ｓが上向きになるように付勢（転回）された状態で、透明層１４に向けて引き付けられることになる。このようにして、１つの画素において、イエロー色が呈せられることになる。【００７４】  更に、１画素を構成する３本の縦通電ライン２４−１，２４−２、２４−３において、図９に示すように、全てのポートがオンされる状態で、これらの部分の抵抗層１２Ａが選択的に発熱し、対応するシアン色及びマゼンタ色及びイエロー色のカラー磁性粉１６Ｃ，１６Ｍ，１６Ｙが全て移動可能な状態となる。そして、磁気ヘッド４４がＳ極を下端面に発生する状態で励磁されることにより、カラー磁性粉１６Ｃ，１６Ｍ，１６Ｙの黒色を呈する半球部分１６Ｎが上向きになるように付勢（転回）された状態で、透明層１４に向けてひきつけられることになる。このようにして、１つの画素において、黒色が呈せられることになる。【００７５】  また更に、１画素を構成する３本の縦通電ライン２４−１，２４−２、２４−３において、図１０に示すように、中央のポートのみがオンされる状態で、これらの部分の抵抗層１２Ａが選択的に発熱し、対応するマゼンタ色のカラー磁性粉１６Ｍが移動可能な状態となる。そして、磁気ヘッド４４がＳ極を下端面に発生する状態で励磁されることにより、カラー磁性粉１６Ｍの黒色を呈する半球部分１６Ｎが上向きになるように付勢（転回）された状態で、透明層１４に向けてひきつけられることになる。このようにして、１つの画素において、黒色が微細な状態（即ち、ファイン状態）で呈せられることになる。【００７６】  以上の説明から明白なように、シアン色、マゼンタ色、イエロー色、及び、黒色、及び／又は、これらの中の任意の２色又は３色の混色により、多色化（フルカラー化）が達成されることになる。【００７７】  このように１画素における任意色の画像表示をさせることができる状態において、黒色のみの表示の場合には、図５を用いた上述の説明から明白なように、１画素を構成する３本の通電ライン毎に独立して表示させることができるので、カラー画像の場合の解像度よりも、実質的に３倍の解像度を持って表示することができることになる。【００７８】  また、再び図５に示すように、この一実施例においては、各画素におけるシアン、マゼンタ、イエロー、黒色の意図しない混色を避けるために、抵抗層１２Ａの表面上であって、互いに隣接する縦通電ライン２４−ｎ間に位置する部位に、両者を分断する状態で、山脈状のガード突状３８が形成されている。このガード突状３８が形成されているために、表示のために一旦、透明層１４に引き付けられたカラー磁性粉１６が、消像のために、再び、基層１２上に引き戻される場合において、両端に位置するカラー磁性粉１６が、隣接する異なる色の縦通電ライン２４−ｎ上に戻ってしまうことが、効果的に抑制され、確実に元の本来位置に復帰することができることとなる。このようにして、このガード突状３８を用いることにより、意図しない混色が効果的に防止されることになる。【００７９】  そして、上述した基層１２と透明層１４とは、共に可撓性を有して形成されている。これにより、表示シート１０は、全体として薄型で可撓性を呈することができることになり、ペーパー（紙）状の構成を達成するもので、従来のペーパー（紙）にとって替わる画像表示シート構造が提供されるものである。【００８０】  以上のように構成される表示シート１０を用いて、この表示シート１０に任意のフルカラー画像を書換可能（リライタブル）な状態で表示させることのできるフルカラー画像表示装置４０（以下、単に表示装置と呼ぶ。）の構成を、以下に詳細に説明する。【００８１】  この表示装置４０は、表示シート１０が着脱自在に取り付けられるように構成されており、表示シート１０が取り付けられた状態で、表示シート１０上に任意のフルカラー画像が書換可能な状態で書き込むことが可能であり、この表示シート１０は、書き込まれたフルカラー画像を定着（固定）させた状態で、この表示装置４０から取り外して、自由に持ち歩きすることができるように設定されている。【００８２】  詳細には、この表示装置４０は、上述した電源３６の他に、マトリックス電極層１２Ｂ、１２Ｃをマトリックス駆動させるための制御ユニット４２、即ち、表示させようとするフルカラー画像に対応した制御信号（走査信号）を生成すると共に、対応する横通電ライン２６−ｎのＬＥＤ（図示せず）を点灯制御する制御ユニット４２と、表示シート１０の透明層１４側に配設され、この透明層１４の外面に非接触な状態で近接すると共に、この溶融部分のカラー磁性粉１６を透明層１４側に移動させる移動手段としての磁気ヘッド４４と、この磁気ヘッド４４を表示シート２０の表面に沿って移動させる走査機構（図示せず）とを備えている。【００８３】  尚、この表示装置４０は、詳細は図示していないが、表示シート１０が取り付けられた状態で、表示シート１０側に配設されたシフトレジスタＩＣ３０とこれに制御信号を出力するための制御ユニット４２の出力ポートとを電気的に接続する接続端子と、表示シート１０側の基層１２の表面に形成された電源供給ライン３２と内蔵する電源３６とを電気的に接続する接続端子と、基層１２の裏面に取り付けられた透明電極２２と電気的に接続され、これを接地するための接地端子を備えている。【００８４】  一方、上述した走査機構は、詳細は図示していないが、磁気ヘッド４４を図中左右方向で規定される副走査方向に沿って移動させることができると共に、紙面に直行する方向で規定される主走査方向に沿って移動させることができるように構成されている。これにより、磁気ヘッド４４は、表示シート１０を全面に渡り走査することができることになる。換言すれば、マトリックス電極層１２Ｂ、１２Ｃの交点での通電により加熱溶融された低融点ワックス１８の溶融部分において、磁気ヘッド４４により透明層１４側に移動されたカラー磁性粉１６により、表示シート１０上に所定のフルカラー画像を表示させる事ができることになる。【００８５】  尚、この一実施例においては、マトリックス電極層１２Ｂ、１２Ｃの交点での抵抗層１２ａの部分への上記通電動作（以下、マトリックス駆動動作と呼ぶ。）により、発熱される抵抗層１２Ａの温度は、１５０〜２００℃となるように設定されている。一方、上述した低融点ワックス１８の融点は、好適には４０〜１２０℃の範囲にあり、従って、マトリックス駆動による通電動作により、これと接触する部位に相当する低融点ワックス１８は、確実に溶融されることになる。【００８６】  一方、上述した磁気ヘッド４４は、この一実施例においては、高透磁率の材料から形成された磁心４４Ａと、この磁心４４Ａの周囲に巻回されたコイル４４Ｂとから構成されている。そして、このコイル４４Ｂへ通電させることにより、カラー磁性粉１６用の移動力としての所定の磁力を発生させると共に、このコイル４４Ｂへの通電方向を規定することにより、磁気ヘッド４４の下面の磁極を、Ｓ極又はＮ極となるように、任意に設定することが可能となる。【００８７】  例えば、コイル４４Ｂへの通電方向を図中下面から上面に向かうように設定した状態において、磁気ヘッド４４の下面に発生する磁極がＮ極であるとすると、通電方向を逆転、即ち、上面から下面に向かうように設定することにより、磁気ヘッド４４の下面に発生する磁極は、Ｓ極となる。【００８８】  このようにして、磁気ヘッド４４のコイル４４Ｂへの通電方向を上面から下面に向かう方向になるように規定することにより、磁気ヘッド４４の下面に発生する磁極がＳ極に設定されると共に、カラー磁性粉１６を透明層１４側に引き付ける移動力としての磁力が発生することになる。この結果、透明層１４側に引き付けられたカラー磁性粉１６は、Ｎ極側の半球部分１６Ｎが透明層１４の下面に接触する状態となる。このようにして、Ｎ極側の半球部分１６Ｎの着色されている黒色の着色樹脂製コーティング層１６ｂにより、黒色の画素が表示されることになる。【００８９】  一方、磁気ヘッド４４のコイル４４Ｂへの通電方向を下面から上面に向かう方向になるように規定することにより、磁気ヘッド４４の下面に発生する磁極がＮ極に設定されると共に、カラー磁性粉１６を透明層１４側に引き付ける移動力としての磁力が発生することになる。この結果、透明層１４側に引き付けられたカラー磁性粉１６は、Ｓ極側の半球部分１６Ｓが透明層１４の下面に接触する状態となる。このようにして、Ｓ極側の半球部分１６Ｓの着色されているシアン、マゼンタ、イエローのいずれかの色の着色樹脂製コーティング層１６ｂにより、シアン、マゼンタ、イエローのいずれかの色の画素が表示されることになる。【００９０】  一方、コイル４４Ｂへの通電量を制御することにより、カラー磁性粉１６の移動力を変化させることができることになる。これにより、例えば、カラー磁性粉１６の粒径を、複数種類に整理することにより、例えば、弱い通電量では粒径の大きなカラー磁性粉１６が先ず、透明層１４に向けて移動し、通電量を増すごとに、順次、粒径が小さいものが透明層１４に向けて移動することになる。このようにして、通電量を制御することにより、表示する画像の階調性を表現させることができることになる。【００９１】  また、この表示装置４０は、図１に再び示すように、磁気ヘッド４４の副走査方向に関して上流側の側面に、冷却ヘッド４６が取り付けられて構成されている。この冷却ヘッド４６により、溶融された低融点ワックス１８を短時間の内に冷却して、画像の表示状態を定着（固定）するようにしてもよい。【００９２】  尚、この冷却ヘッド５０は、この一実施例においては水冷として構成されており、その先端面から規定される冷却面は、透明層１４の外面に接触するように設定されている。【００９３】  以上のように構成される画像表示装置４０におけるフルカラー画像表示システムを、以下に説明する。【００９４】  表示シート１０を画像表示装置４０に取り付け、表示シート１０側の電源供給ライン３２を電源３６に接続し、シフトレジスタＩＣ３０を、制御ユニット４２の制御信号の出力ポートに接続すると共に、透明電極２２を図示しない接地端子に接続すると、画像書き込み（書換）可能状態となる。この接続状態から、制御ユニット４２により、磁気ヘッド４４は、書き込み開始位置に移動させられる。そして、この書き込み開始位置から、副走査方向に沿った所定の走査動作が開始される。【００９５】  この走査動作が開始されると、磁気ヘッド４４は副走査方向に沿って直線移動を開始されることになるが、表示しようとする画素に対応する位置にもたらされるごとに、制御ユニット４２はマトリックス駆動を実行し、画素に対応した抵抗層１２Ａの部位に、所定時間だけ通電させる。この通電動作により、抵抗層１２Ａには、マトリックス駆動された結果の交点に対応する抵抗層１２Ａの領域にのみ通電され、この通電領域のみが発熱されることになる。【００９６】  この結果、抵抗層１２Ａの通電領域が発熱領域となり、この発熱領域に対応する低融点ワックス１８の溶融部分が、この熱により溶融され、この低融点ワックス１８の溶融部分に含まれるカラー磁性粉１６が、磁気ヘッド４４の磁力により、透明層１４に向けて移動させられることになると共に、磁気ヘッド４４の下面に発生する磁極に応じて、黒色か、シアン・マゼンタ・イエローの内の一色を呈するかが、規定されることになる。【００９７】  このようにして、図６乃至図１０に示すように、移動したカラー磁性粉１６は透明層１４の内面に集合し、一つのカラー化された画素を構成することになる。【００９８】  このように、所定の画素に対応する部分において、カラー画像の呈色動作が完了するが、この後、隣接する次の画素に対応する部位に磁気ヘッド４４を副走査方向に沿って移動することになる。ここで、次の画素において、カラー画像の呈色動作を行う場合には、上記動作が同様に実施されることになる。【００９９】  一方、次の画素において、画像の表示動作を行わずに、地色としての白色を残しておく場合には、何ら、マトリックス駆動動作が実行されずに、更に次に隣接する画素に対応する部位に磁気ヘッド４４を移動する。【０１００】  このように、１ライン分の表示動作を完了すると、磁気ヘッドを、元の開始位置に復帰させると共に、主走査方向に沿って１画素分だけ移動させる。そして、副走査方向に沿って、上記したと同様な表示動作を繰り返し実行する。このような動作を、表示シート１０の全面に渡り実行することにより、表示シート１０の全面に渡り、所定の画像がフルカラーで表示されることになる。【０１０１】  尚、既に所定のフルカラー画像が表示された表示シート１０においては、抵抗層１２Ａの全面に渡り通電させて発熱させ、低融点ワックス１８を全面に渡り加熱することにより溶融させ、このように低融点ワックス１８が全面に渡り溶融している間に、基層１２側に配置した永久磁石により、カラー磁性粉１６を基層１２側に移動させることにより、全てのカラー磁性粉１６は透明層１４から取り除かれることとなり、この結果、透明層１４には、何らの画像も表示されないことになる。即ち、この表示シート１０上の画像は、消去されることになる。【０１０２】  この発明は、上述した構成及び動作に限定されることなく、この発明の要旨を逸脱しない範囲で、種々の変形可能である。尚、以下の説明において、上述した一実施例と同一部分には、同一符号を付して、その説明を省略する。【０１０３】  例えば、上述した一実施例においては、種々の数値を示したが、これはあくまでも一例であり、この発明を何ら限定するものでないことは、言うまでもない。【０１０４】  また、上述した一実施例においては、基層１２及び透明層１４は、共に、可撓性を有して紙状に形成されるように説明したが、この発明は、このような構成に限定されること無く、例えば、基層１２と透明層１４とを、共に所定の剛性を有するようにしてカード状に形成されるようにしても良いものである。【０１０５】  また、上述した一実施例においては、カラー磁性粉１６のＮ極が現れている半球部分１６Ｎに黒色を着色し、Ｓ極が現れている半球部分１６Ｓにシアン、マゼンタ、イエローの各色を着色するように説明したが、この発明は、このような構成に限定されること無く、逆に、カラー磁性粉１６のＳ極が現れている半球部分１６Ｓに黒色を着色し、Ｎ極が現れている半球部分１６Ｎにシアン、マゼンタ、イエローの各色を着色するように構成しても良いものである。この場合、磁気ヘッド４４のコイル４４Ｂに通電する方向が、上述した一実施例の場合と逆になることは言うまでもない。【０１０６】  また、上述した一実施例においては、マトリックス駆動において、縦通電ライン２４−ｎを選択的にオンさせるためにシフトレジスタＩＣ３０を用い、横通電ライン２６−ｎを選択的にオンさせるためにフォトトランジスタ３４を用いるように説明したが、この発明は、このような構成に限定されること無く、��通電ライン２４−ｎをフォトトランジスタ３４を用いて選択的にオン制御し、横通電ライン２６−ｎをシフトレジスタＩＣを用いて選択的にオン制御するように構成しても良いものである。【０１０７】  更に、縦通電ライン２４−ｎも横通電ライン２６−ｎも、２つのシフトレジスタＩＣにより夫々オン制御するようにしても良いし、縦通電ライン２４−ｎも横通電ライン２６−ｎも、フォトトランジスタによりオン制御するようにしても良いものである。【０１０８】  また、上述した他の実施例においては、冷却ヘッド５０を水冷式から構成されるように説明したが、この発明は、このような構成に限定されることなく、例えば、電動ファンを用いた強制空冷式や、フィンを用いた自然空冷式や、ヒートパイプも用いた冷却方式等、種々の冷却方式を用いることができることは言うまでもない。【０１０９】  また、上述した一実施例において、カラー磁性粉１６が分散される媒体１８としては、カラー磁性粉１６の移動が許容される第１の相及びカラー磁性粉１６の移動が禁止される第２の相との間で相変化可能なものであればよく、高温において第１の相を呈し、低温において第２の相を呈する低温溶融体であっても良い。この場合、第１の相は、液相であり、第２の相は固相となる。このような媒体としては、低融点ワックスで代表されるような低温溶融体のほかに、グリセリン脂肪酸エステル等のコロイドや、ゾル−ゲル相変化（光・超音波・磁気振動・加熱電界・電解等による流動化も利用）を利用した寒天、ゼラチン、水酸化アルミニウム、水酸化第二鉄、ベントナイト等の不安定又は準安定ゲルを用いることも出来るものである。【０１１０】  また、上述した一実施例においては、低温溶融体として用いられる低融点ワックス１８を、石油系パラフィンから構成されるように説明したが、この発明は、このような構成に限定されることなく、例えば、天然ロウやカルナバワックス（ロウ）や合成樹脂から構成されるようにしてもよいことは言うまでもない。【０１１１】  また、上述した一実施例においては、透明電極２２は、表示装置４０に組み込まれた状態で設置されるように説明したが、この発明は、このような構成に限定されること無く、透明電極２２に、低融点ワックス１８との摩擦によりカラー磁性粉１６に発生した帯電価の極性とは逆特性のバイアス電圧を印加しておいて、カラー磁性粉１６を、透明電極２２に積極的に引き付けるように構成しても良いことは、言うまでもない。
【産業上の利用可能性】
【０１１２】  以上詳述したように、この発明に係わるリライタブル薄型画像表示シートは、従前に全く不可能であった可撓性を有するシート状の薄型画像表示シートでありながら、しかも、表示される画像がリライタブル（書換可能）であり、更に、その画像をフルカラーで表示することができるものである。このように、この発明に係わるリライタブル薄型画像表示シートは、従前の「紙」に取って代わる新規な技術を提供するばかりでなく、「紙」では達成されなかったリサイクル性や省資源の効果を確実に達成しえるものであり、その産業上の利用性は計り知れない。
【図面の簡単な説明】
【０１１３】
【図１】  この発明に係わるリライタブル薄型画像表示シート及び画像表示装置の一実施例の構成を示す断面図である。
【図２】  抵抗層をマトリックス駆動により選択的に発熱させる原理を、模式的に示す図である。
【図３】  カラー磁性粉の内部構造を示す断面図である。
【図４】  図３に示すカラー磁性粉の他の構成例を示す断面図である。
【図５】  カラー表示の原理を、模式的に示す図である。
【図６】  図５に示す状態で、シアン色を呈させる状態を説明するための図である。
【図７】  図５に示す状態で、マゼンタ色を呈させる状態を説明するための図である。
【図８】  図５に示す状態で、イエロー色を呈させる状態を説明するための図である。
【図９】  図５に示す状態で、黒色を呈させる状態を説明するための図である。
【図１０】  図５に示す状態で、黒色を微細な状態（即ち、ファインん状態）で呈させる状態を説明するための図である。
【符号の説明】
【０１１３】１０    表示シート（リライタブル薄型画像表示シート）
１２    基層
１２Ａ    抵抗層
１２Ｂ    電極層（上側のマトリックス電極層）
１２Ｃ    電極層（下側のマトリックス電極層）
１４    透明層
１６    カラー磁性粉
１６Ｎ    Ｎ極に着磁された半球部分
１６Ｓ    Ｓ極に着磁された半球部分
１６Ｃ    シアン色又は黒色を呈することが可能なカラー磁性粉
１６Ｍ    マゼンタ色又は黒色を呈することが可能なカラー磁性粉
１６Ｙ    イエロー色又は黒色を呈することが可能なカラー磁性粉
１６ａ    中心核磁性体
１６ｂ    着色樹脂製コーティング層
１８    媒体：低温溶融体（低融点ワックス）
２０    スペーサ
２２    透明電極
２４    一方の通電パターン
２４−ｎ    縦通電ライン
２６    他方の通電パターン
２６−ｎ    横通電ライン
３０    シフトレジスタＩＣ
３２    電源供給ライン
３４    フォトトランジスタ
３６    電源
３８    ガード突状
４０    表示装置（画像表示装置）
４２    制御ユニット
４４    磁気ヘッド
４４Ａ    磁心
４４Ｂ    コイル
４６    冷却ヘッド
【図１】
2005070714.tif 000003
【図２】
2005070714.tif 000004
【図３】
2005070714.tif 000005
【図４】
2005070714.tif 000006
【図５】
2005070714.tif 000007
【図６】
2005070714.tif 000008
【図７】
2005070714.tif 000009
【図８】
2005070714.tif 000010
【図９】
2005070714.tif 000011
【図１０】
2005070714.tif 000012